【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
締結具をワークピースに設置する方法であって、
フレームと、締結具を受容して拘束するように構成される孔を形成するガイドと、前記孔の下流にある前記フレームと結合する張力付与器と、を備える取付工具を提供するステップと、
順に並べた締結具の帯状体を提供するステップであって、前記帯状体は、細長いキャリアと、先端と後端との間に配置される複数の締結具とを備える、順に並べた締結具の帯状体を提供するステップと、
前記複数の締結具のそれぞれを順々に引いて前記孔と一直線上に並ぶように、前記張力付与器によって前記キャリアに張力を付与するステップと、
前記複数の締結具から第１の締結具を、前記孔を通してワークピース内に送り出すステップと、を含む方法において、
前記送り出すステップの間に、前記第１の締結具は前記キャリアから分離する、方法。
【請求項２】
前記キャリアに付与される前記張力は、前記複数の締結具のそれぞれを順々に引いて前記孔と一直線上に並ぶようにするために付与される、実質的に唯一の力である、請求項１に記載の方法。
【請求項３】
前記ガイドは、前記孔に隣接するガイド壁を備え、
第１の締結具がヘッド及びシャンクを備え、
前記キャリアは、前記ヘッドより下で、前記シャンクに結合され、
前記張力を付与するステップの間に、前記ヘッドは逆転防止装置に係合し、
前記キャリアは、前記シャンクが前記ガイド壁に対して傾斜し、前記シャンクが前記孔と一直線上に並ぶように、前記シャンクを引く、請求項１に記載の方法。
【請求項４】
前記キャリアは、前記シャンクを引いて、前記ヘッドの接触点周りに前記逆転防止装置に対抗するモーメントを生み出し、前記締結具の長手方向軸が配置される面で前記シャンクを回転させる、請求項３に記載の方法。
【請求項５】
前記第１の締結具のヘッドを逆転防止装置に対して係合させるステップと、
前記第１の締結具の先端が前記孔の壁に向かって揺動するように、前記張力を付与するステップの前記張力を前記ヘッドより下に付与するステップと、を含む、請求項１に記載の方法。
【請求項６】
前記送り出すステップの間に、打込み要素を前記第１の締結具に対して係合させるステップと、
前記打込み要素によって前記第１の締結具を回転させるステップと、
前記第１の締結具が前記孔から出ることができるようにするステップと、
前記第１の締結具が前記孔を通って送り出された後に、前記複数の締結具の第２の締結具を前記孔に位置決めするステップと、
前記第２の締結具を前記孔を通して前記ワークピース内に送り出すステップと、を含む、請求項１に記載の方法。
【請求項７】
前記キャリアの前記先端のみを前記張力付与器に係合させ、前記キャリアの他の部分は前記張力付与器に係合させずに、前記複数の締結具のそれぞれを順々に引いて、１度に１つずつ前記孔と一直線上に並ぶようにするステップを含む、請求項１に記載の方法。
【請求項８】
第１の凹部を前記細長いキャリアの第１の縁に沿って取付要素の第１のフックに係合させるステップと、
第２の凹部を前記細長いキャリアの第２の縁に沿って前記取付要素の第２のフックに係合させるステップと、を含む請求項１に記載の方法であって、
前記第１のフック及び第２のフックは、前記張力を前記細長いキャリアに直接付与する、方法。
【請求項９】
締結具をワークピースに設置する方法であって、
順に並べた締結具の帯状体を、孔を形成するガイドの下流の位置で引き寄せるステップであって、前記帯状体はキャリア及び複数の締結具を備える、引き寄せるステップと、
第１の締結具を前記複数の締結具から前記孔を通してワークピース内に送り出すステップと、を含む方法。
【請求項１０】
張力付与器を前記キャリアの先端のみに取り付けるステップであって、前記張力付与器が前記ガイドの下流の前記位置のみで前記キャリアを引くことができるようにする、取り付けるステップを含む、請求項９に記載の方法であって、
前記引き寄せるステップの間に、前記キャリアの後端が前記ガイドの上流に留まる、方法。
【請求項１１】
前記引き寄せるステップの間及び前記送り出すステップの間に前記キャリアの前記後端と前記ガイドとの間の部分が張力を受けない、請求項１０に記載の方法。
【請求項１２】
前記第１の締結具のヘッドを前記ガイドの逆転防止装置に対して係合させ、前記第１の締結具のシャンクを前記キャリアと共に引き寄せて、前記第１の締結具の先端が揺動して前記孔と一直線上に並ぶようにすることによって、前記第１の締結具を前記孔と一直線上に並べるステップを含む、請求項１１に記載の方法。
【請求項１３】
前記ガイドの上流のいずれの位置からも、前記キャリアを前記ガイドに向けて移動させるために、力を付与しない、請求項１２に記載の方法。
【請求項１４】
前記キャリアの先端を、前記ガイドの下流の位置にて、細長い部材に取り付けるステップと、
細長い部材のロールを形成するために前記細長い部材を巻くステップと、を含む、請求項９に記載の方法。
【請求項１５】
前記細長い部材は引張バネに結合され、
前記引張バネは、前記細長い部材を前記引張バネの方に引き込む、請求項１４に記載の方法。
【請求項１６】
張力付与器ピンを、前記帯状体の先端にて、前記キャリアに固定するステップと、
前記ガイドの上流の前記キャリアの後端を、ガイドチャネルによって、受動的に誘導するステップと、を含む、請求項９に記載の方法。
【請求項１７】
前記キャリアは、前縁及び後縁と、前記孔の下流に位置づけられる下流部分と、前記孔の上流に位置づけられる上流部分とを備え、
給送装置を、前記前縁の近傍で、前記キャリアに結合し、
前記給送装置は、前記引き寄せるステップを実施し、
前記給送装置は、前記キャリアを前記孔を過ぎて移動させる工具の唯一の部分であり、
前記キャリアは、右側部及び左側部を備え、
前記右側部及び左側部は、前記キャリアの連続する長さ部分の大部分に沿って切り込みを備えていない、請求項１６に記載の方法。
【請求項１８】
フレームと、
前記フレームに結合されるガイドであって、前記ガイドは孔を形成する、ガイドと、
締結具を前記孔を通して送り出すように構成される打込み要素と、
前記フレームに結合される張力付与器であって、前記張力付与器は、順に並べた締結具の帯状体を整列締結具経路に沿って引くように構成され、前記張力付与器は、前記孔の下流に位置づけられ、張力を前記帯状体の前記孔と前記帯状体の先端との間の部分に付与するように構成される、張力付与器と、を備える締結具取付工具。
【請求項１９】
前記孔に隣接するガイド壁と、
前記ガイド壁に隣接する締結具停止部と、を備える、請求項１８に記載の締結具取付工具であって、
前記締結具停止部は、前記整列締結具経路に沿う締結具の移動を拘束して、前記締結具の先端が揺動して前記孔と一直線上に並ぶように構成される、締結具取付工具。
【請求項２０】
フレームと、
前記フレームに結合されるガイドであって、前記ガイドは孔を形成する、ガイドと、
前記フレームに結合される給送装置であって、前記給送装置は、順に並べた締結具の帯状体を整列締結具経路に沿って前記ガイドを過ぎて移動させるように構成される、給送装置と、
締結具を前記孔を通して送り出すように構成される打込み要素と、
前記打込み要素に隣接する取付端部から主要ドリル駆動部取付体を備える駆動端部に前記フレームを通って延びるドライブシャフトと、を備える締結具取付工具であって、
前記主要ドリル駆動部取付体は、前記主要ドリル駆動部取付体が第１の打込み工具のチャック内に挿入される場合に、前記チャックに係合するように構成される外面を備え、
前記主要ドリル駆動部取付体は、前記ドライブシャフトの長手方向軸に直交する方向に測定される第１の寸法を有し、前記第１の寸法は、前記外面の第１の部分から前記外面の第２の部分まで前記ドライブシャフトの前記長手方向軸を横切って測定され、
前記主要ドリル駆動部取付体は、交換可能な打込みビットを受容し、回転自在に拘束するように構成されるソケットを形成し、前記交換可能な打込みビットの第１の部分が前記ドライブシャフト内に延び、前記交換可能な打込みビットの第２の部分が、第２の打込み工具のチャックに取り付けるための前記主要ドリル駆動部取付体を越えて外方に延び、
前記ソケットは、前記ドライブシャフトの前記長手方向軸に直交する方向に測定される第２の寸法を有し、前記第２の寸法は前記第１の寸法より小さく、
前記締結具取付工具の操作者が、前記操作者が利用できる打込み工具に応じて、前記第１の打込み工具の前記チャックを、前記主要ドリル駆動部取付体の前記外面に接続するか、前記第２の打込み工具の前記チャックを、前記主要ドリル駆動部取付体を越えて外方に延びる前記交換可能な打込みビットの前記第２の部分に接続するかが、選択的に可能である、締結具取付工具。
【請求項２１】
前記交換可能な打込みビットの環状凹部に解除可能に係合して前記交換可能な打込みビットを前記主要ドリル駆動部取付体に固定する係止具を備える、請求項２０に記載の締結具取付工具。
【請求項２２】
前記係止具は、前記長手方向軸に沿って摺動可能な係止リングと、前記係止リングを係止モードに係合するように構成されるバネと、を備え、
前記係止モードでは、前記係止リングは、前記ビットが前記ソケットから取り外されることがないように、球を前記交換可能な打込みビットの前記環状凹部に付勢する、請求項２１に記載の締結具取付工具。
【請求項２３】
前記ソケットは形状が六角形であり、
前記外面は、前記第１の打込み工具の前記チャックの複数の対応する面と連動するように構成される複数の角度づけられた小平面を備える、請求項２０に記載の締結具取付工具。
【請求項２４】
前記交換可能な打込みビットの前記第１の部分は、使用可能な打込み機構及び摩滅した打込み機構の少なくともいずれかを備え、
前記打込み機構は、前記交換可能な打込みビットが前記ソケットに受容される場合に、前記ドライブシャフト内に隠され、
前記交換可能な打込みビットの前記主要ドリル駆動部取付体を越えて外方に延びる前記第２の部分は形状が六角形である、請求項２０に記載の締結具取付工具。
【請求項２５】
前記フレームはハンドルを備え、
前記フレームは、前記ドライブシャフトが回転している間に操作者が前記ドライブシャフトに接触するのを防ぐために、前記ドライブシャフトを取り囲む、請求項２０に記載の締結具取付工具。
【請求項２６】
前記打込み要素は、別の交換可能な打込みビットを備え、前記ドライブシャフトの前記取付端部に形成される別のソケット内に装着されるように構成される、請求項２０に記載の締結具取付工具。
【請求項２７】
孔を形成するガイドと、
取付端部と、前記取付端部から離れた駆動端部とを有するドライブシャフトであって、前記駆動端部は主要ドリル駆動部取付体を備える、ドライブシャフトと、
前記取付端部に隣接する孔を形成するガイドと、を備える、締結具取付工具であって、
前記主要ドリル駆動部取付体は、第１の打込み工具のチャックに係合するように構成される外面を備え、
前記主要ドリル駆動部取付体は、交換可能な打込みビットを受容して回転自在に拘束するように構成されるソケットを形成し、前記交換可能な打込みビットの摩滅した打込み機構及び使用可能な打込み機構の少なくとも１つが前記ドライブシャフト内で延び、前記交換可能な打込みビットの第２の部分が第２の打込み工具のチャックを取り付けるための前記主要ドリル駆動部取付体を越えて外方に延び、
前記締結具取付工具の操作者が、前記操作者が利用できる打込み工具に応じて、前記第１の打込み工具の前記チャックを、前記主要ドリル駆動部取付体の前記外面に接続するか、前記第２の打込み工具の前記チャックを、前記主要ドリル駆動部取付体を越えて外方に延びる前記交換可能な打込みビットの前記第２の部分に接続するかが、選択的に可能である、締結具取付工具。
【請求項２８】
前記フレームに結合される給送装置であって、前記給送装置は、順に並べた締結具の帯状体を整列締結具経路に沿って前記ガイドを過ぎて順々に移動させるように構成される、請求項２７に記載の締結具取付工具。
【請求項２９】
締結具取付工具を使用する方法であって、
孔を形成するガイドと、取付端部と前記取付端部から離れた駆動端部とを有するドライブシャフトとを備える締結具取付工具であって、前記駆動端部は主要ドリル駆動部取付体を備える、締結具取付工具を提供するステップと、
第１の交換可能ビットを、前記取付端部に隣接して設置するか、前記取付端部に設置するステップと、
使用可能な打込み機構及び摩滅した打込み機構の少なくとも１つがアクセス不能でありかつ前記ドライブシャフト内に配置され、第２の部分が前記主要ドリル駆動部取付体から延びるように、第２の交換可能ビットを前記主要ドリル駆動部取付体によって形成されるソケットに設置するステップと、
第１の打込み工具を前記第２の部分に結合するステップと、
前記第１の交換可能ビットを回転させるステップと、
前記第１の交換可能ビットによって締結具を前記孔を通して送り出すステップと、を含む、方法。
【請求項３０】
給送装置によって、順に並べた締結具の帯状体を整列締結具経路に沿って移動させて前記ガイドを通過させるステップを含む、請求項２９に記載の方法。
【請求項３１】
前記第１の交換可能ビットを前記取付端部から取り外すステップと、
前記第２の交換可能ビットを前記駆動端部から取り外すステップと、
前記第１の交換可能ビットを前記ソケットに設置するステップと、
第３の交換可能ビットによって別の締結具を前記孔を通して送り出すステップと、を含む、請求項２９に記載の方法。
【請求項３２】
前記回転させるステップ及び送り出すステップの後に、
前記第２の交換可能ビットを前記駆動端部から取り出すステップと、
第２の打込み工具を前記主要ドリル取付体に結合して、前記第２の打込み工具が前記主要ドリル取付体の外面に係合するようにするステップと、を含む、請求項２９に記載の方法。
【請求項３３】
ガイド孔を形成するガイド本体であるとともに、給送用長孔であって、締結具のシャンクが前記給送用長孔を通って前記ガイド孔に入ることができるように構成される給送用長孔を形成する側壁を備える、ガイド本体と、
前記ガイド本体に結合されるガイドヘッドであって、前記ガイドヘッドは前記ガイド孔より上に位置づけられ、前記ガイドヘッドは、締結具のヘッドに係合して、前記締結具が前記ガイド孔と一直線上に並ぶように前記シャンクの傾斜を促進するように構成される逆転防止装置を備える、ガイドヘッドと、を備える、締結具取付工具ガイドであって、
キャリア長孔が前記逆転防止装置より下であって前記給送用長孔より上に形成され、前記キャリア長孔は、前記締結具を担持する整列締結具キャリアを摺動可能に受容するように構成される、締結具取付工具ガイド。
【請求項３４】
前記ガイド本体及び前記ガイドヘッドは、互いに一体化されて、単体のガイドユニットを形成し、
前記キャリア長孔は、前記単体のガイドユニットを通って形成される、請求項３３に記載の締結具取付工具ガイド。
【請求項３５】
締結具取付工具のフレームに係合し、前記ガイド本体及びガイドヘッドを前記フレームに取り外し可能に結合するように構成される係止部材を備える、請求項３３に記載の締結具取付工具ガイド。
【請求項３６】
前記係止部材は凹部及び係止締結具を備え、
前記凹部は前記ガイド本体によって形成され、
前記係止締結具は、前記フレームの一部を通って突出して前記凹部に入り、前記ガイド本体を前記フレームに結合させる、請求項３５に記載の締結具取付工具ガイド。
【請求項３７】
前記キャリア長孔は、前記キャリアが給送経路に沿って移動する場合に、前記キャリアを取り囲むように構成され、
前記キャリア長孔は、前記キャリアが摺動する途切れない下部壁にて矩形断面を有する、請求項３３に記載の締結具取付工具ガイド。
【請求項３８】
前記キャリア長孔は、前記逆転防止装置より下であって前記給送用長孔より上に位置づけられる、請求項３３に記載の締結具取付工具ガイド。
【請求項３９】
前記キャリア長孔は前記ガイド孔の下流であり、
前記キャリア長孔は、上面と、前記上面との間に前記整列締結具を受容するように構成される向かい合う下面とを備え、
前記下面は、第１のキャリア長孔側壁から第２のキャリア長孔側壁に至る平面であり、
前記ガイド本体は、アライメント突起に対して所定の角度でオフセットされる板に結合され、前記板及びアライメント突起は、前記ガイド本体をワークピースに対して所定の角度に設定することができるようになる、請求項３４に記載の締結具取付工具ガイド。
【請求項４０】
連動する締結具打込み工具にて使用される、順に並べた締結具の帯状体であって、前記締結具打込み工具は締結具を前記帯状体から順々にワークピースに打ち込む、順に並べた締結具の帯状体において、前記順に並べた締結具の帯状体は、
互いに実質的に平行に配置される複数の締結具の列であって、各締結具はシャンク及びヘッドを有し、前記ヘッドは直径が前記シャンクより大きく、前記シャンクは、締結具の前記ヘッドが隣接する締結具の前記シャンクに接触しないように、互いから離間し、各シャンクは軸を形成し、各締結具は長さ部を有する、複数の締結具の列と、
前縁及び後縁と、向かい合う左側部及び右側部であって、その間に前記複数の締結具の前記列を配置する、左側部及び右側部と、を備えるキャリアと、を備える、順に並べた締結具の帯状体であって、
前記キャリアは上面及び下面を備え、各締結具の前記ヘッドは前記上面より上に全体的に位置づけられ、前記シャンクは前記下面より下に位置づけられ、
前記キャリアは、前記前縁から、前記複数の締結具の第１の締結具よりも前記前縁に近い始動タブ端部まで後方に延びる始動タブを備え、前記始動タブは、前記締結具打込み工具に設置する前には、いかなる締結具も有することはなく、
前記始動タブは、前記始動タブを給送要素に係合するのに十分な長さを有し、前記キャリアの残りの部分を引き、
前記複数の締結具は、前記始動タブ端部と前記後縁との間の前記残りの部分のみに配置される、順に並べた締結具の帯状体。
【請求項４１】
前記始動タブは給送要素開口を形成し、
前記給送要素開口は、前記キャリアの第１の側部に第１の切り込みを備え、前記キャリアの第２の側部に第２の切り込みを備え、
前記第１及び第２の側部には、前記第１及び第２の側部それぞれの大部分に沿って、いかなる他の切り込みも備えていない、請求項４０に記載の、順に並べた締結具の帯状体。
【請求項４２】
前記ガイドは、前記孔に隣接するガイド壁を備え、
第１の締結具がヘッド及びシャンクを備え、
前記キャリアは、前記ヘッドの下にて前記シャンクに結合され、
前記張力を付与するステップの間に、前記ヘッドは逆転防止装置に係合し、前記キャリアは、前記シャンクを引いて、前記シャンクが前記孔と一直線上に並ぶように、前記シャンクを前記ガイド壁に対して傾斜させる、請求項４０に記載する方法。
【請求項４３】
前記複数の締結具用穴が穴間隔によって互いから分離しており、
前記穴間隔は、前記複数の締結具のそれぞれのヘッド直径より小さい、請求項４２に記載の、順に並べた締結具の帯状体。
【請求項４４】
前記複数の締結具がそれぞれ前記複数の締結具用穴に配置される場合に、前記複数の締結具それぞれのヘッドが互いに接触する、請求項４０に記載の、順に並べた締結具の帯状体。
【請求項４５】
前記始動タブは、前記キャリアの前記前縁から前記始動タブ端部にかけて前記長さ部の分だけ延び、
前記長さ部は少なくとも３／４インチ（１．９０５センチメートル）であり、
前記始動タブは、前記キャリアが工具に設置される前には締結具が充填されていない複数の締結具用穴を形成する、請求項４０に記載の、順に並べた締結具の帯状体。
【請求項４６】
前記キャリアは、前記前縁から前記後縁に至る均一な厚さの高分子材料の単一層であり、
前記下面は実質的に平面状であり、前記下面から下方に延びる前記複数の締結具の前記シャンク以外に突起が無く、
前記複数の締結具のそれぞれの前記ヘッドは、前記キャリアが前記締結具打込み工具に設置される前には、前記下面へと下方に突出することなく、全体的に前記上面より上に配置され、
前記キャリアは、前記残りの部分の前記複数の締結具が、前記キャリアの長手方向軸に沿って、１インチ（２．５４センチメートル）当たり少なくとも２個のネジの平均頻度で現れるように、前記残りの部分に複数の締結具用穴を形成し、
前記複数の締結具用穴のそれぞれには中心があり、
前記複数の締結具用穴の隣接する穴の前記中心は、０．２００インチ（０．５０８センチメートル）〜０．２６０インチ（０．６６０４センチメートル）の距離を開けて互いから離間し、
前記複数の締結具の各締結具が０．１２０インチ（０．３０４８センチメートル）〜０．２００インチ（０．５０８センチメートル）の直径を有するヘッドを備え、
前記キャリアは、前記締結具用穴に隣接するエリアに、前記厚さを貫通して延びるいかなる開口も備えない、請求項４０に記載の、順に並べた締結具の帯状体。
【請求項４７】
前記キャリアは、前記第１の締結具が配置される第１の締結具用穴を形成し、
前記キャリアは、第２の締結具が配置される第２の締結具用穴を形成し、
前記第１の締結具用穴は、前記第２の締結具用穴から第１の距離を開けて配置され、
前記給送要素開口は、前記第１の締結具から第２の距離を開けて配置され、
前記第２の距離は前記第１の距離よりも長い、請求項４６に記載の、順に並べた締結具の帯状体。
【請求項４８】
給送要素開口が前記前縁より後方に配置され、
前記複数の締結具は、前記キャリアが形成する複数の締結具用穴を通って配置され、前記締結具用穴のそれぞれは、隣接する締結具用穴から第１の距離を開けて分離され、
前記給送要素開口は、前記第１の締結具が配置される第１の締結具用穴から第２の距離を開けて離間され、
前記第２の距離は、前記第１の距離の少なくとも１５０％である、請求項４０に記載の、順に並べた締結具の帯状体。
【請求項４９】
連動する締結具打込み工具にて使用される、順に並べた締結具の帯状体であって、前記締結具打込み工具は締結具を前記帯状体から順々にワークピースに打ち込む、順に並べた締結具の帯状体において、前記順に並べた締結具の帯状体は、
互いに実質的に平行に配置される複数の締結具の列であって、各締結具はシャンク及びヘッドを有し、前記ヘッドは直径が前記シャンクの直径より大きく、前記シャンクは、締結具の前記ヘッドが隣接する締結具の前記シャンクに接触しないように、互いから離間し、各シャンクは軸を形成し、各締結具は長さ部を有する、複数の締結具の列と、
前縁及び後縁と、向かい合う左側部及び右側部であって、その間に前記複数の締結具の前記列を配置する、左側部及び右側部と、を備えるキャリアと、を備える、順に並べた締結具の帯状体であって、
前記キャリアは、前記前縁から後方に延びる始動タブを備え、前記始動タブは、いかなる締結具もその内部に備えず、
前記キャリアは、前記複数の締結具のすべてが結合される装填部分を備え、
前記装填部分は、前記後縁から前記始動タブに延びる、順に並べた締結具の帯状体。
【請求項５０】
前記始動タブは、前記キャリアの前記前縁から前記装填部分に延び、
前記始動タブは、長さが１／２インチ（１．２７センチメートル）〜１と３／４インチ（４．４４５センチメートル）であり、給送要素に係合して前記キャリアの前記装填部分の移動を促進するように構成され、
前記始動タブは、前記前縁と第１の締結具との間に複数の空の締結具用穴を備える、請求項４９に記載の順に並べた締結具の帯状体。
【請求項５１】
前記始動タブは、給送要素に係合するように構成される給送要素開口を形成し、
前記給送要素は、取付工具のガイドを通して前記キャリアを移動させることができる、請求項４９に記載の順に並べた締結具の帯状体。
【請求項５２】
前記給送要素開口は、複数の締結具用穴の第１の穴から第２の距離を開けて離間され、前記第２の距離は、前記複数の締結具用穴の隣接する穴同士を分離する第１の距離よりも長い、請求項５１に記載の順に並べた締結具の帯状体。
【請求項５３】
前記装填部分は、前記装填部分が形成する隣接する第２の締結具用穴から第１の距離を開けて分離される第１の締結具用穴を形成し、
前記第１の穴は、前記始動タブが形成する給送要素開口から第２の距離を開けて分離され、
前記第１の距離は、前記ヘッドの前記直径より短く、
前記第２の距離は、前記ヘッドの前記直径より長い、請求項４９に記載の順に並べた締結具の帯状体。
【請求項５４】
前記始動タブは長さが少なくとも１インチ（２．５４センチメートル）であり、
前記複数の締結具は、少なくとも５０個の締結具を含み、
前記キャリアは長さが１８インチ（４５．７２センチメートル）〜２４インチ（６０．９６センチメートル）であり、
前記キャリアは複数の締結具用穴を形成し、
前記複数の締結具用穴のそれぞれが中心を有し、
前記複数の締結具用穴の隣接する穴の前記中心は、０．２０１インチ（０．５１０５４センチメートル）〜０．２６０インチ（０．６６０４センチメートル）の距離を開けて互いから離間する、請求項４９に記載の順に並べた締結具の帯状体。
【請求項５５】
前記始動タブは、前記キャリアを結具取付工具を通して引くための少なくとも５ポンドのけん引力に耐えるのに十分な引裂強度を有する、請求項４９に記載の順に並べた締結具の帯状体。
【請求項５６】
前記複数の締結具は、前記複数の締結具のなかで前記前縁に最も近い締結具である先頭締結具を含み、
前記複数の締結具のそれぞれが互いから等距離に置かれ、
前記始動タブは給送要素開口を形成し、
前記給送要素開口は、前記先頭締結具よりも前記前縁に近い、請求項４８に記載の順に並べた締結具の帯状体。
【請求項５７】
順に並べた締結具の帯状体を用いる方法であって、前記方法は、
前縁及び後縁を備えるキャリアを提供するステップであって、前記キャリアは複数の締結具に結合され、前記キャリアは、前記前縁から後方に延びる始動タブを備え、前記始動タブは、その内部にいかなる締結具も備えない、前記キャリアを提供するステップと、
前記キャリアをガイドを通して整列締結具経路に沿って延ばすステップであって、前記始動タブが前記ガイドより前方に突出し、前記複数の締結具のすべてが結合される前記キャリアの装填部分が前記ガイドより後方に突出し、前記装填部分は前記後縁から前記始動タブに延びるようにする、前記キャリアを延ばすステップと、
前記複数の締結具を前記ガイドを通して順々に送り出すために、前記始動タブを給送装置に係合するステップと、を含む、方法。
【請求項５８】
前記給送装置は、実質的に前記始動タブのみを引き寄せて、前記複数の締結具を送り出す、請求項５７に記載の方法。
【請求項５９】
前記係合するステップの間に、前記始動タブは前記装填部分を前記ガイドを通して引く、請求項５７に記載の方法。